【手続補正書】
【提出日】平成29年5月1日(2017.5.1)
【手続補正１】
【補正対象書類名】特許請求の範囲
【補正対象項目名】全文
【補正方法】変更
【補正の内容】
【特許請求の範囲】
【請求項１】
データが保存されてなるデータ保存媒体を製造する方法であって、
第１面及び当該第１面に対向する第２面を有する、石英からなるデータ保存媒体用基材の前記第１面側に凹凸構造を形成する際に用いられるパターンデータを生成するパターンデータ生成工程と、
前記パターンデータに基づいて、前記データ保存媒体用基材の前記第１面に前記凹凸構造を形成する凹凸構造形成工程と
を含み、
前記凹凸構造は、前記データ保存媒体用基材の前記第１面側に定義される保存領域内のデータ領域に形成される、前記データのデータ内容を表現するデータ凹凸構造と、前記保存領域内における前記データ領域以外の領域であるダミー領域に形成されるダミー凹凸構造とを含み、
前記パターンデータ生成工程は、前記データ凹凸構造に対応する第１パターンデータを生成する第１工程と、前記ダミー凹凸構造に対応する第２パターンデータを前記第１パターンデータに付加することで、前記パターンデータを生成する第２工程とを有し、
前記第２工程において、前記第１パターンデータに基づき、前記保存領域内における前記凹凸構造の面積密度が実質的に均一になるように前記第２パターンデータを前記第１パターンデータに付加する
ことを特徴とするデータ保存媒体の製造方法。
【請求項２】
前記パターンデータ生成工程において、前記保存領域に相当するパターンデータ生成領域を設定し、
前記第１工程において、前記データ凹凸構造に対応する第１図形セルを前記パターンデータ生成領域内に配置して前記第１パターンデータを生成し、
前記第２工程は、前記第１パターンデータに基づき、前記パターンデータ生成領域内において前記第１図形セルが配置された領域を第１パターンデータ生成領域として抽出する工程、前記第１パターンデータ生成領域以外の領域を前記ダミー領域に相当する第２パターンデータ生成領域として抽出する工程、及び前記第２パターンデータ生成領域に前記ダミー凹凸構造に対応する第２図形セルを配置して前記第２パターンデータを生成する工程を含む
ことを特徴とする請求項１に記載のデータ保存媒体の製造方法。
【請求項３】
前記保存領域は、行列状に配置された複数の単位保存領域を含み、
前記データ凹凸構造は、前記データを分割して得られる複数の単位データのそれぞれのデータ内容を表現する複数の単位データ凹凸構造からなり、
前記パターンデータ生成工程において、前記複数の単位保存領域のそれぞれに相当する複数の単位パターンデータ生成領域を設定し、
前記第１工程において、前記各単位データ凹凸構造に対応する第１図形セルを、前記複数の単位パターンデータ生成領域の行列配置順に、各単位パターンデータ生成領域に配置して前記第１パターンデータを生成し、
前記第２工程は、前記第１パターンデータに基づき、前記複数の単位パターンデータ生成領域のそれぞれにおいて前記第１図形セルが配置された領域を第１パターンデータ生成領域として抽出する工程、前記第１パターンデータ生成領域以外の領域を前記ダミー領域に相当する第２パターンデータ生成領域として抽出する工程、及び前記第２パターンデータ生成領域に前記ダミー凹凸構造に対応する第２図形セルを配置して前記第２パターンデータを生成する工程を含む
ことを特徴とする請求項１に記載のデータ保存媒体の製造方法。
【請求項４】
前記第２パターンデータを生成する工程において、前記第１パターンデータに基づき、前記第１図形セルが配置された前記第１パターンデータ生成領域の総面積に対する前記第１図形セルの総面積の比率を算出し、当該第１図形セルの総面積の比率と実質的に同一の面積率で前記第２パターンデータ生成領域に前記第２図形セルを配置して前記第２パターンデータを生成することを特徴とする請求項３に記載のデータ保存媒体の製造方法。
【請求項５】
前記第２パターンデータを生成する工程において、前記第１パターンデータに基づき、前記第２パターンデータ生成領域の周囲に位置する前記単位パターンデータ生成領域を抽出し、抽出された単位パターンデータ生成領域の総面積に対する前記第１図形セルの総面積の比率を算出し、当該第１図形セルの総面積の比率と実質的に同一の面積率で前記第２パターンデータ生成領域に前記第２図形セルを配置して前記第２パターンデータを生成することを特徴とする請求項３に記載のデータ保存媒体の製造方法。
【請求項６】
前記第２パターンデータを生成する工程において、前記第２パターンデータ生成領域の周囲に位置する前記単位パターンデータ生成領域における前記第１図形セルの総面積の比率から、前記単位パターンデータ生成領域における前記第１図形セルの総面積の比率の勾配を算出し、当該第１図形セルの総面積の比率の勾配に基づいて、前記第２パターンデータ生成領域に前記第２図形セルを配置して前記第２パターンデータを生成することを特徴とする請求項５に記載のデータ保存媒体の製造方法。
【請求項７】
前記凹凸構造は、前記データ凹凸構造と前記ダミー凹凸構造との境界を判定するための判定凹凸構造をさらに含み、
前記パターンデータ生成工程は、前記第１工程にて生成された前記第１パターンデータに前記判定凹凸構造に対応する第３パターンデータを付加する工程をさらに有し、
前記第２工程において、前記第３パターンデータが付加された前記第１パターンデータに前記第２パターンデータを付加することを特徴とする請求項１〜６のいずれかに記載のデータ保存媒体の製造方法。
【請求項８】
前記データ凹凸構造及び前記ダミー凹凸構造は、相互に実質的に同一の寸法を有することを特徴とする請求項１〜７のいずれかに記載のデータ保存媒体の製造方法。
【請求項９】
データが保存されてなるデータ保存媒体であって、 
第１面及びそれに対向する第２面を有する、石英からなる基材と、 
前記基材の第１面上に設定された保存領域内に形成されてなる凹凸構造と 
を備え、 
前記保存領域は、少なくとも一方向に並列されてなる複数の単位保存領域と、隣接する前記単位保存領域の間に位置するデータ非保存領域とを含み、 
前記凹凸構造は、前記単位保存領域内のデータ領域に形成されてなる、前記データのデータ内容を表現するデータパターンと、前記単位保存領域内における前記データ領域以外の領域であるダミー領域に形成されてなるダミーパターンと、前記単位保存領域内に形成されてなり、前記データパターン及び前記ダミーパターンの境界を判別するための判別パターンとを含み、 
前記データパターン及び前記ダミーパターンのそれぞれは、前記保存領域内における前記凹凸構造の面積密度が実質的に均一になるように前記データ領域及び前記ダミー領域のそれぞれに形成されていることを特徴とするデータ保存媒体。
【請求項１０】
前記データパターン及び前記ダミーパターンは、互いに実質的に同一の形状及び寸法を有し、 
前記判別パターンは、前記データパターン及び前記ダミーパターンと異なる形状及び寸法を有することを特徴とする請求項９に記載のデータ保存媒体。
【請求項１１】
請求項９又は１０に記載のデータ保存媒体に保存されているデータを読み出す装置であって、
前記保存領域を含む画像データを取得する画像データ取得部と、
前記画像データから、前記保存領域に形成されている前記凹凸構造のうちの前記データ凹凸構造を抽出し、抽出された前記データ凹凸構造に基づいて前記データを読み出すデータ読出部と
を備えることを特徴とするデータ読出装置。
【請求項１２】
前記データ保存媒体の前記保存領域に形成されている前記凹凸構造は、前記データ凹凸構造と前記ダミー凹凸構造との境界を判定するための判定凹凸構造をさらに含み
前記データ読出部は、前記判定凹凸構造を指標として、前記画像データから、前記凹凸構造のうちの前記データ凹凸構造を抽出することを特徴とする請求項１１に記載のデータ読出装置。
【請求項１３】
請求項９又は１０に記載のデータ保存媒体に保存されているデータを読み出す方法であって、
前記保存領域を含む画像データを取得する画像データ取得工程と、
前記画像データから、前記保存領域に形成されている前記凹凸構造のうちの前記データ凹凸構造を抽出し、抽出された前記データ凹凸構造に基づいて前記データを読み出すデータ読出工程と
を有することを特徴とするデータ読出方法。
【請求項１４】
前記データ保存媒体の前記保存領域に形成されている前記凹凸構造は、前記データ凹凸構造と前記ダミー凹凸構造との境界を判定するための判定凹凸構造をさらに含み
前記データ読出工程において、前記判定凹凸構造を指標として、前記画像データから、前記凹凸構造のうちの前記データ凹凸構造を抽出することを特徴とする請求項１３に記載のデータ読出方法。
【手続補正２】
【補正対象書類名】明細書
【補正対象項目名】００１９
【補正方法】変更
【補正の内容】
【００１９】
また、本発明は、データが保存されてなるデータ保存媒体であって、第１面及びそれに対向する第２面を有する、石英からなる基材と、前記基材の第１面上に設定された保存領域内に形成されてなる凹凸構造とを備え、前記保存領域は、少なくとも一方向に並列されてなる複数の単位保存領域と、隣接する前記単位保存領域の間に位置するデータ非保存領域とを含み、前記凹凸構造は、前記単位保存領域内のデータ領域に形成されてなる、前記データのデータ内容を表現するデータパターンと、前記単位保存領域内における前記データ領域以外の領域であるダミー領域に形成されてなるダミーパターンと、前記単位保存領域内に形成されてなり、前記データパターン及び前記ダミーパターンの境界を判別するための判別パターンとを含み、前記データパターン及び前記ダミーパターンのそれぞれは、前記保存領域内における前記凹凸構造の面積密度が実質的に均一になるように前記データ領域及び前記ダミー領域のそれぞれに形成されていることを特徴とするデータ保存媒体を提供する（発明９）。上記発明（発明９）において、前記データパターン及び前記ダミーパターンは、互いに実質的に同一の形状及び寸法を有し、前記判別パターンは、前記データパターン及び前記ダミーパターンと異なる形状及び寸法を有するのが好ましい（発明１０）。
【手続補正３】
【補正対象書類名】明細書
【補正対象項目名】００２０
【補正方法】変更
【補正の内容】
【００２０】
さらに、本発明は、上記発明（発明９，１０）に係るデータ保存媒体に保存されているデータを読み出す装置であって、前記保存領域を含む画像データを取得する画像データ取得部と、前記画像データから、前記保存領域に形成されている前記凹凸構造のうちの前記データ凹凸構造を抽出し、抽出された前記データ凹凸構造に基づいて前記データを読み出すデータ読出部とを備えることを特徴とするデータ読出装置を提供する（発明１１）。
【手続補正４】
【補正対象書類名】明細書
【補正対象項目名】００２１
【補正方法】変更
【補正の内容】
【００２１】
上記発明（発明１１）においては、前記データ保存媒体の前記保存領域に形成されている前記凹凸構造は、前記データ凹凸構造と前記ダミー凹凸構造との境界を判定するための判定凹凸構造をさらに含み、前記データ読出部は、前記判定凹凸構造を指標として、前記画像データから、前記凹凸構造のうちの前記データ凹凸構造を抽出するのが好ましい（発明１２）。
【手続補正５】
【補正対象書類名】明細書
【補正対象項目名】００２２
【補正方法】変更
【補正の内容】
【００２２】
さらにまた、本発明は、上記発明（発明９，１０）に係るデータ保存媒体に保存されているデータを読み出す方法であって、前記保存領域を含む画像データを取得する画像データ取得工程と、前記画像データから、前記保存領域に形成されている前記凹凸構造のうちの前記データ凹凸構造を抽出し、抽出された前記データ凹凸構造に基づいて前記データを読み出すデータ読出工程とを有することを特徴とするデータ読出方法を提供する（発明１３）。
【手続補正６】
【補正対象書類名】明細書
【補正対象項目名】００２３
【補正方法】変更
【補正の内容】
【００２３】
上記発明（発明１３）において、前記データ保存媒体の前記保存領域に形成されている前記凹凸構造は、前記データ凹凸構造と前記ダミー凹凸構造との境界を判定するための判定凹凸構造をさらに含み、前記データ読出工程において、前記判定凹凸構造を指標として、前記画像データから、前記凹凸構造のうちの前記データ凹凸構造を抽出するのが好ましい（発明１４）。